(57)【要約】【課題】本発明のガス絶縁開閉装置用操作装置では、インターロックコイル等の電装部品は、長期的に見て接点部の腐食等で劣化しやすく、現在の運用においては数十年毎に定期的に交換する必要があったが、複雑な作業であるため、専門作業員による交換作業が必要であった。【解決手段】  本発明のガス絶縁開閉装置用操作装置においては、インターロックコイルと、このインターロックコイルを着脱自在なネジを介して取り付けられるインターロック固定板と、このインターロック固定板を取り付けるとともに、電装部品を囲うように配置された支え板とを備え、前記支え板に、前記インターロック固定板のネジを取り外し作業可能な開口部を設けたことを特徴としている。【選択図】  図２
2012099415.tif 000002
【特許請求の範囲】
【請求項１】
インターロックコイルと、
このインターロックコイルを着脱自在なネジを介して取り付けられるインターロック固定
板と
このインターロック固定板を取り付けるとともに、電装部品を囲うように配置された支
え板とを備えたガス絶縁開閉装置用操作装置において、
前記支え板に、前記インターロック固定板のネジを取り外し作業可能な開口部を設けた
ことを特徴とするガス絶縁開閉装置用操作装置。
【請求項２】
前記電装部品にはモータ制御スイッチを含み、このモータ制御スイッチを前記開口部から
取り外し可能に配置したことを特徴とする請求項１記載のガス絶縁開閉装置用操作装置。
【発明の詳細な説明】
【技術分野】
【０００１】
本発明はガス絶縁開閉装置用操作装置に装備する電装品の交換方法に関する。
【背景技術】
【０００２】
一般に断路器，接地装置等のガス絶縁開閉器はインターロックコイル１０７を手動操作
時の誤動作を防止のため設けており、またモータ制御用スイッチ１１６は操作装置動作停
止位置近傍でモータの電源回路を遮断しモータが停止するよう構成している。このような
インターロックコイル１０７やモータ制御用スイッチ１１６などの電装品は、機械的な他
の構成部品と比較し、長期的に見て比較的細い配線の断線やスイッチの接点部の腐食等で
劣化しやすく、現在の運用において数十年毎に定期的に交換する必要がある。この場合、
点検作業性を考慮し、端子が容易に触れられ、導通確認が出来るよう配置しているが、部
品交換の際、対象部品の着脱時に他の部品も外す必要があり、複雑な作業であるため、専
門作業員による交換作業が必要であった。また従来の電装品の構成は部分組立作業のし易
さや機械的な構成部品の構造簡素化を主に設計しており、現地における部品交換性はあま
り考慮していなかった。
【０００３】
従来のインターロックコイルの着脱方法を図５を用いて説明する。
【０００４】
図に示すように、インターロックコイル１０７の取り付けネジ１１０，１１１は上方より
締付する構造となっており、主軸１０１があるため、工具が簡単に使用できない構造とな
っていた。Ｌ形板１０８にはシャッター１１３が設けられている。また、インターロック
コイル１０７を着脱するには、インターロックコイル固定板１０９も取り外す必要があり
、場合によっては他の部品も分解する必要があった。更に、再取付けには専門作業員によ
る調整と大幅な作業時間が必要であった。
【０００５】
次に、外側を囲うように配置されたＬ形板の構造とモータ制御スイッチの着脱方法を図６
を用いて説明する。
【０００６】
モータ制御スイッチ１１６は機構部内の主軸１０１の近傍に設けてあり、従来のＬ形の板
１０８構造で左側面からの着脱が不可のため、上部の補助開閉器１０６を図のごとく取り
外さないと着脱することができなかった。また補助開閉器１０５、１０６には配線が接続
されているため、取り外すことは困難であった。
【０００７】
更に、モータ制御スイッチ１１６の固定をナベコネジ１１８で締付していたため取外しす
る際は、標準のドライバがしようできず、特殊なドライバを使用する必要があった。（例
えば特許文献１）
本発明は他の部品を分解せずに電装品の交換が容易にでき、かつ交換作業時間を短縮する
ことを目的とする。
【先行技術文献】
【特許文献】
【０００８】
【特許文献１】実公平７−４７５７号公報（図１）
【発明の概要】
【発明が解決しようとする課題】
【０００９】
このように、従来のガス絶縁開閉装置用操作装置のインターロック機構は手動操作が主で
かつ複雑な構成であり、交換作業性が困難であった。
【００１０】
本発明は上記問題点を除去するために成されたもので、交換作業を容易に行うことができ
るガス絶縁開閉装置用操作装置を提供することを目的とする。
【課題を解決するための手段】
【００１１】
上記目的を達成するために本発明のガス絶縁開閉装置用操作装置においては、インターロ
ックコイルと、このインターロックコイルを着脱自在なネジを介して取り付けられるイン
ターロック固定板と、このインターロック固定板を取り付けるとともに、電装部品を囲う
ように配置された支え板とを備え、前記支え板に、前記インターロック固定板のネジを取
り外し作業可能な開口部を設けたことを特徴としている。
【００１２】
本発明のガス絶縁開閉装置用操作装置では、インターロックコイル等の電装部品の交換作
業を容易に行うことができる。
【図面の簡単な説明】
【００１３】
【図１】本発明によるガス絶縁開閉装置用操作装置の全体を示す図である。
【図２】本発明によるガス絶縁開閉装置用操作装置の実施例１を示す図である。
【図３】本発明によるガス絶縁開閉装置用操作装置の実施例２を示す図である。
【図４】本発明によるガス絶縁開閉装置用操作装置の実施例３を示す図である。
【図５】従来のガス絶縁開閉装置用操作装置のインターロック周辺を拡大した図である。
【図６】従来のガス絶縁開閉装置用操作装置のモータ制御スイッチ周辺を拡大した図である。
【発明を実施するための形態】
【００１４】
以下、本発明の実施例を説明する。
【００１５】
［実施例１］
以下、本発明の実施例１につき、図５及び図６を参照して説明する。
【００１６】
ガス絶縁開閉器の可動部に接続され主軸１には歯車（図示せず）が固着されている。こ
の歯車はモータ２に固着された歯車（図示せず）と手動操作軸３に固着された歯車（図示
せず）に夫々噛合っている。また、主軸１には、主軸１の回転にともない順次係合して回
転する複数のカムからなる連結カム群を接続している。この連結カム群の最初段にはロッ
ク棒挿入孔を有するロック軸を接続している。このロック軸には動作完了位置でキャッチ
と係合し回転を停止させる係合部を有している。即ち、主軸１が複数回転したとき、この
回転が連結カム群を介して回転表示器４に伝達される。
【００１７】
また、ロック軸近傍には、図示しないが、ロック装置及びロック解除装置を並べて配置し
、主軸１の上方には補助開閉器５，６を配置し、下方には、インターロックコイル７を配
置している。なお、符合１５は回数計である。
【００１８】
図２は、図１におけるインターロックコイル周辺の拡大図した側面図（ａ）と正面図（ｂ
）ある。
【００１９】
このインターロックコイルは当該の断路器や接地開閉器を手動操作時に他の遮断器、断路
器、接地開閉器等の主接点の位置がインターロック条件を満足している場合のみインター
ロックコイルが励磁し先端のロックピンが逃げシャッター１３が支点を中心に開くことが
可能となり、手動操作用主軸１が見え、ハンドルを挿入し手動操作が出来るように構成し
ている。
【００２０】
ここで、インターロックコイル７は、支え板としてのＬ形板８にインターロック固定板
９を介して取り付けられている。Ｌ形板８とインターロック固定板９は２本のネジ１０、
１１で固定され、インターロックコイル７は、インターロック固体板に４本のネジ１２で
固定されている。
【００２１】
また、Ｌ形板８には、主軸１を開閉するシャッター１３が設けられている。
【００２２】
Ｌ形板８には開口部１４が設けられており、この開口部１４側にインターロック固定板
９のネジ取付面９ａを向けるように配置されている。
【００２３】
作業員は、開口部１４からドライバ等でネジ１２を容易に固定可能な構成となっている。
【００２４】
このように構成されたガス絶縁開閉装置用操作装置では、インターロック固定板にイン
ターロックコイルを固定している全てのネジを外すと、下方にインターロックコイルを容
易に取り外すことができる。これにより、電装品の交換作業時間を短縮することができる
。
【００２５】
なお、本実施例では、支え板をＬ形板としたが、本質的機能を共通するものであれば当
該形状に限られないことは言うまでもない。
【００２６】
次に、図３を用いて本発明に第２の実施例について説明する。
【００２７】
第１の実施例と共通部品については同一符号を付し説明する。
【００２８】
本実施例は、Ｌ形板８の内側で主軸１の近傍にモータ２の「入」動作と「切」動作を制
御するモータ制御スイッチ１６が取り付けられている。このモータ制御スイッチ１６につ
いても、Ｌ形板８に設けた開口部１４から作業員により取り外しを行い、交換等の作業容
易な構成となっている。
【００２９】
以上、構成によりモータ制御スイッチの脱着を容易にすることができ、電装品の交換作
業時間を短縮することができる。
【００３０】
次に、図４を用いて本発明の第３の実施例について説明する。
【００３１】
第１の実施例と共通部品については同一符号を付し説明する。
【００３２】
本実施例では、電装品を固定するネジ１７を開口部１４に対し、垂直方向から挿入して
固定しているが、ネジ１７は工具が使用できる六角ネジ等にしている。
【００３３】
これにより、電装品の交換作業時間を短縮することができる。
【符号の説明】
【００３４】
１……主軸
２……モータ
３……手動操作軸
４……回転表示器
５、６……補助開閉器
７……インターロックコイル
８……Ｌ形板
９……インターロック固定板
１０、１１……ネジ
１２……ネジ
１３……シャッター
１４……開口部
１５……回数計
１６……モータ制御スイッチ
１７……ネジ
【図１】
2012099415.tif 000003
【図２】
2012099415.tif 000004
【図３】
2012099415.tif 000005
【図４】
2012099415.tif 000006
【図５】
2012099415.tif 000007
【図６】
2012099415.tif 000008